(57)【要約】      （修正有）【課題】液晶画面等に保護フィルムを貼り付ける際の位置設定を容易にするセパレータ付き保護フィルムを提供する。【解決手段】保護フィルムの粘着層面に貼るセパレータにセパレータ自体を分割、分離するための分割溝を設け、該分割溝部分からセパレータを分割して一部を剥がし貼り付けることで、液晶画面等の保護面へ保護フィルムを貼り付ける際の貼り付け位置の設定を容易に行うという課題を解決する。【選択図】図１
0003142562.tif 000002
【実用新案登録請求の範囲】
【請求項１】
粘着材付き保護フィルムとセパレータから構成され、セパレータに分離、分割するための分割溝を設けた事を特徴とするセパレータ付きフィルム
【請求項２】
請求項１に於いて保護フィルムが貼られる保護対象の画面に対しセパレータの形状の一部分又は全体が貼り付け位置の案内となる形状で形成されたことを特徴とするセパレータ付きフィルム
【請求項３】
請求項１に於いてセパレータに貼り付け位置の案内となる抜き穴を配置したことを特徴とするセパレータ付きフィルム
【請求項４】
請求項１に於いてセパレータに貼り付け位置の案内となる目印を設けたことを特徴とするセパレータ付きフィルム
【請求項５】
請求項１、２、３、４に於いてセパレータの一部がセパレータを剥がす際のガイドとなる形状に形成されたことを特徴とするセパレータ付きフィルム
【考案の詳細な説明】
【技術分野】
【０００１】  本考案は、液晶画面等を保護する保護フィルムとセパレータに関する物である。
【背景技術】
【０００２】  従来の技術思想では、液晶画面等を保護する目的で使用者が粘着層付き保護フィルムを貼り付ける場合、液晶画面の大きさに合わせて正確に貼り付ける作業が必要であったが、貼り付け位置の設定が困難であった。
【考案の開示】
【考案が解決しようとする課題】
【０００３】  本考案は、液晶画面等に保護フィルムを貼り付ける際の貼り付け位置設定を容易にすることを課題とする。
【課題を解決するための手段】
【０００４】  本考案は保護フィルムの粘着層面に貼るセパレータにセパレータ自体を分割、分離するための分割溝を設け、該分割溝部分からセパレータを分割して一部を剥がし貼り付けることで、液晶画面等の保護面へ保護フィルムを貼り付ける際の貼り付け位置の設定を容易に行うという課題を解決する。
【考案の効果】
【０００５】  液晶画面の縁に合わせて保護フィルムを貼る場合、従来はセパレータを全て剥がして貼り付ける作業を行っていた。この場合、保護フィルムの粘着層面に手の汚れが付着しやすく、また大まかな位置合わせしか出来なかった。本考案では、セパレータに分割溝を設けることで該分割溝から容易にセパレータを複数に分離、分割することが出来る。セパレータの中央部を複数の分割溝に沿って分割して剥がし、残ったセパレータを該液晶画面の縁に合わせて位置決めを行い、粘着層面の露出した保護フィルム中央部を該液晶画面に貼り付ける。その後で残ったセパレータを剥がし、粘着層面を該液晶画面に貼り付ける。こうして位置決めの際に粘着層面に指が触れないため粘着層面が汚れることもなく、容易に正確な位置に保護フィルムを貼り付けることが可能になる。
【考案を実施するための最良の形態】
【０００６】  保護フィルムの粘着層面に貼るセパレータの中央付近に複数の分割溝を設け、該分割溝からセパレータを分離、分割可能にする。セパレータには貼り付け対象となる液晶画面の縁に合わせた案内部を設ける。セパレータを剥がす際の手がかりとして、セパレータの分割溝部分付近にガイドを貼り付けるか、又はセパレータの一部をガイド形状に形成する。
【実施例】
【０００７】  以下、添付図面に基づいて実施例を説明する。
図１は本考案の分割セパレータ付き保護フィルムの断面図である。１は保護フィルム、１ａは保護フィルムの粘着層、２はセパレータ、２ａは案内部、３はセパレータを分離、分割するために設けた分割溝３を示す。【０００８】  図２は実施例の平面図である。貼り付け対象となる液晶画面の縁に合わせた案内部２ａより、保護フィルム１は一回り小さい形状とする。また案内部の一部を抜き穴２ｂの形状で形成している。セパレータの中央付近にセパレータを分離、分割するために設けた分割溝３を配置し、その周辺にセパレータを剥がす為のガイド２ｃを該セパレータに貼付している。【０００９】  図３はセパレータを３分割する実施例の平面図である。セパレータに２カ所の分割溝３を配置し、その周辺にセパレータと一体に形成したガイド２ｄ、２ｅ、２ｆを設ける。３分割するセパレータの中央部をガイド２ｅから分割溝３に沿って剥がし、露出した保護フィルムの粘着層面を液晶画面に貼り付ける。その後ガイド２ｄ、２ｆより残ったセパレータを剥がして露出した保護フィルムの粘着層面を液晶画面に貼り付ける。【００１０】  図４はセパレータの案内部２ａを機器の外周形状に合わせた実施例である。画面が機器４の表面材に埋め込まれカバーされた場合、保護フィルムの位置決めを画面で行うことが困難である為、機器の外周に合わせた案内部により貼り付け位置を規定する。【００１１】  図５は図３の実施例をもとに液晶画面５に保護フィルム１を貼り付ける作業の工程を示す断面図である。中央のセパレータをガイド２ｅより分割溝３に沿って剥がし、粘着層面１ａを露出する。残った他の２枚のセパレータの案内部２ａを液晶画面の縁に合わせて位置決めを行い、保護フィルムの露出した粘着層面１ａを液晶画面に貼り付ける。【００１２】  図６は図５の工程で残ったセパレータを剥がす状態を示す断面図である。ガイド２ｄより剥がし保護フィルム１の粘着層面を液晶画面５に貼り付ける。【００１３】  図７は図６の工程で残ったセパレータを剥がす状態を示す断面図である。ガイド２ｆより剥がし保護フィルム１の粘着層面を液晶画面５に貼り付ける。こうして保護フィルムを規定の位置に正確に貼り付けることが可能となる。【００１４】  図８は図３の実施例のセパレータの中央部をガイド２ｅから分割溝３に沿って剥がしている工程の俯瞰図である。【００１５】  図９は図６の工程の俯瞰図である。
【図面の簡単な説明】
【００１６】
【図１】案内付き分割溝付き保護フィルムの断面図である。
【図２】案内付き分割溝付き保護フィルムの平面図である。
【図３】案内付き３分割溝付き保護フィルムの実施例の平面図である。
【図４】案内付き３分割溝付き保護フィルムの実施例の平面図である。
【図５】分割溝付き保護フィルムを貼着する方法の断面図である。
【図６】分割溝付き保護フィルムを貼着する方法の断面図である。
【図７】分割溝付き保護フィルムを貼着する方法の断面図である。
【図８】セパレータを剥がす工程の俯瞰図である。
【図９】保護フィルムを貼着する方法の俯瞰図である。
【符号の説明】
【００１７】１保護フィルム
１ａ粘着層面
２セパレータ
２ａ貼り付け位置案内部
２ｄガイド
３分割溝
４機器本体
５液晶画面
【図１】
0003142562.tif 000003
【図２】
0003142562.tif 000004
【図３】
0003142562.tif 000005
【図４】
0003142562.tif 000006
【図５】
0003142562.tif 000007
【図６】
0003142562.tif 000008
【図７】
0003142562.tif 000009
【図８】
0003142562.tif 000010
【図９】
0003142562.tif 000011